(57)【要約】【課題】フロントパネルとスクリーンパネルとを前後に、またこれらとファンネルとを上下に固定し、相対位置を定め、全体をバランスよく加熱炉内で支持する治具を提供する。【解決手段】架台８の支持棒１１間にファンネル４２の管部４２ｂを挿入し、背面を位置決め部材１４に当接させ、固定部材１２で固定する。ファンネル４２の上縁に、ガラスフリットを介在させて、別途固定枠部材１で固定したフロントパネル４３とスクリーンパネル４４を接合する。このとき、スクリーンパネル４４の背面を位置決め部材１３に当接させ、側面を位置決め部材１５に当接させる。棒状重り１７を支持板１０の裏側に配置してアーム１８を固定枠部材１の重り結合部材６に掛ける。重り部材１６によって、フロントパネル４３とスクリーンパネル４４が、ファンネル４２上に圧接され、また三者の上部を支持板１０へ押し付ける回転モーメントが生じ、三者が安定して架台８上に支持される。【選択図】　図１
2004047291.tif 000002
【特許請求の範囲】
【請求項１】
一体に溶着されたフロントパネル、スクリーンパネル、ファンネルで構成される偏平型陰極線管の製作において、前後に配置されるフロントパネルとスクリーンパネルとの間及びこれらとその下方に配置されるファンネルとの間に夫々ガラスフリットを介在させて加熱溶着する際に、前記フロントパネル、
スクリーンパネル、ファンネルの三者を一体に固定して支持する治具であって、前記フロントパネルと前記スクリーンパネルとを前後方向に固定するための固定枠部材と、
この固定枠部材によって一体化された前記フロントパネルと前記スクリーンパネルとを、下方に位置するファンネル上へ押し付けるために、固定枠体に結合される重り部材と、
前記固定枠部材と重り部材とにより一体化された前記フロントパネル、スクリーンパネル、ファンネルの三者を位置決めして垂直に保持する架台とを具備し、
前記固定枠部材は、前記フロントパネルと前記スクリーンパネルとを挿入可能に開口した枠体と、この枠体の前後の側板に取り付けられた一対のパネル押えばねと、枠体の左右の側板に固定された一対の重り結合部材とを備えたものであって、前記一対のパネル押えばねは、前記枠体の前後の側板に固定された固定部と、前記固定部の両端からそれぞれ前記枠体の内方に折曲した折曲辺を有するパネル押え部とを具備し、前記一対の重り結合部材は、前記枠体の左右の側板から相互に対称に下方へ延出し、
前記架台は、支持フレームと、この支持フレームに垂直に固定された支持板と、前記ファンネルの首部を左右から挟んで支持するために、前記支持板上に前方へ突出して左右対称に固定された一対の円筒状の支持棒と、前記ファンネルの管部を解放可能に固定するために、前記支持板上に設けられた固定部材と、前記スクリーンパネルの背面に当接してスクリーンパネルの前後方向の位置を定めるために、前記支持板上に突設された第１の前後位置決め部材と、前記ファンネルの矩形部背面に当接してファンネルの前後方向の位置を定めるために、前記支持板上に突設された第２の前後位置決め部材と、前記スクリーンパネルの側面に当接してスクリーンパネルの左右方向の位置を定めるために、前記支持板上に設けられた左右位置決め部材とを具備し、
前記重り部材は、前記支持板の下部背面を横断してこれに当接するように配置される棒状重りと、この棒状重りの両端から斜めに上方へ延出して上端部が前記一対の重り結合部材に離脱可能に結合される左右一対のアームとを具備し、前記フロントパネル、スクリーンパネル、ファンネルの三者の上部を前記支持板へ押し付ける回転モーメントを生じるバランスを持つように構成されたことを特徴とする偏平型陰極線管製作用治具。
【請求項２】
前記固定枠部材は、左右に均等な一対のウエイトをさらに具備することを特徴とする請求項１に記載の偏平型陰極線管製作用治具。
【発明の詳細な説明】
【０００１】
【産業上の利用分野】
この発明は、偏平型陰極線管を構成するフロントパネル、スクリーンパネル、ファンネルの三者を炉内で加熱して溶着する際に用いられる固定、位置決め用の治具に関するものである。
【０００２】
【従来の技術】
一般に、偏平型の陰極線管は、図８に示すような構造である。すなわち、陰極線管４０は、電子銃４１が組み込まれたファンネル４２と、画像表示面となるフロントパネル４３と、電子銃４１から放出された電子ビームによる画像を形成する蛍光面を備えたスクリーンパネル４４とによって構成されている。このうち、フロントパネル４３とスクリーンパネル４４とは、ファンネル４２上にて、粘性のあるガラスフリットとを介し、互いの接合面を突き合わせた状態で溶着されるが、その際、フロントパネル４３とスクリーンパネル４４とを一体に固定しておくための治具として、特開平７−１２２１９１号の公報に記載されたものが提案されている。この治具は、フロントパネルとスクリーンパネルとを挿入可能に開口した枠体と、この枠体の前後の側板に取り付けられた一対のパネル押えばねと、枠体の左右の側板に固定された一対の重り結合部材とを備えたものであって、一対のパネル押えばねは、枠体の前後の側板に固定された固定部と、固定部の両端からそれぞれ前記枠体の内方に折曲した折曲辺を有するパネル押え部とを具備するものである。
【０００３】
【発明が解決しようとする課題】
しかしながら、上記従来のパネル固定治は、フロントパネルとスクリーンパネルとを前後方向に固定する機能しか有しないものである。偏平型陰極線管を製作するためには、フロントパネルとスクリーンパネルの下方にファンネルを接合した状態で加熱炉に投入する必要がある。従って、フロントパネルとスクリーンパネルとを前後方向に固定するのみでなく、これらとファンネルとを上下に固定し、相対位置を定め、全体をバランスよく支持するための治具が求められている。
【０００４】
この発明は、上記課題するためになされたもので、フロントパネルとスクリーンパネルとを前後方向に固定するのみでなく、これらとファンネルとを上下に固定し、かつ相対位置を定めて安定的に加熱炉に投入できる治具を提供することを目的とする。
【０００５】
【課題を解決するための手段】
この発明は、上記課題を解決するため、前後に配置されるフロントパネル４３とスクリーンパネル４４との間及びこれらとその下方に配置されるファンネル４２との間に夫々ガラスフリットを介在させて加熱溶着する際に、フロントパネル４３、スクリーンパネル４４、ファンネル４２の三者を一体に固定して支持する治具であって、フロントパネル４３とスクリーンパネル４４とを前後方向に固定するための固定枠部材１と、この固定枠部材１によって一体化されたフロントパネル４３とスクリーンパネル４４とを、下方に位置するファンネル４２上へ押し付けるために、固定枠体１に結合される重り部材１６と、固定枠部材１と重り部材１６とにより一体化されたフロントパネル４３、スクリーンパネル４４、ファンネル４２の三者を位置決めしてほぼ垂直に保持する架台８とを具備するものとした。
固定枠部材１は、フロントパネル４３とスクリーンパネル４４とを挿入可能に開口した枠体２と、この枠体２の前後の側板２ａ、２ｂに取り付けられた一対のパネル押えばね３，４と、枠体２の左右の側板２ｃ、２ｄに固定された一対の重り結合部材６とを備えたものとする。一対のパネル押えばね３，４は、枠体２の前後の側板２ａ、２ｂに固定された固定部３ａ，４ａと、固定部の両端からそれぞれ枠体２の内方に折曲した折曲辺を有するパネル押え部３ｂ、４ｂとを具備させ、一対の重り結合部材６は、枠体２の左右の側板２ｃ、２ｄから相互に対称に下方へ延出させた。
架台８には、支持フレーム９と、支持板１０と、支持棒１１と、固定部材１２と、第１の前後位置決め部材１３と、第２の前後位置決め部材１４と、左右位置決め部材１５とを具備させた。
支持フレーム９は、架台８を炉内に定置する。支持板１０は、支持フレーム９に垂直に固定した。一対の円筒状支持棒１１は、ファンネル４２の首部４２ａを左右から挟んで支持するために、支持板１０上に前方へ突出して左右対称に固定した。固定部材１２は、ファンネル４２の管部４２ｂを解放可能に固定するために、支持板１０上に設けた。第１の前後位置決め部材１３は、スクリーンパネル４４の背面に当接してスクリーンパネル４４の前後方向の位置を定めるために、支持板１０上に突設した。第２の前後位置決め部材１４は、ファンネル４２の矩形部４２ｃの背面に当接してファンネル４２の前後方向の位置を定めるために、支持板１０上に突設した。左右位置決め部材１５は、スクリーンパネル４４の側面に当接してスクリーンパネル４４の左右方向の位置を定めるために、支持板１０上に設けた。
重り部材１６は、支持板１０の下部背面を横断してこれに当接するように配置される棒状重り１７と、この棒状重りの両端から斜めに上方へ延出して上端部が一対の重り結合部材に離脱可能に結合される左右一対のアーム１８とを具備させ、フロントパネル４３、スクリーンパネル４４、ファンネル４２の三者の上部を支持板１０へ押し付ける回転モーメントを生じるバランスを持つように構成した。
【０００６】
【発明の実施の形態】
図面を参照して本発明の実施の形態を説明する。図１は偏平型陰極線管とそれの製作用治具の正面図、図２は同側面図、図３は治具の平面図、図４はフロントパネルとスクリーンパネルとを固定する固定枠部材の平面図、図５は同正面図、図６は同側面図、図７はフロントパネルとスクリーンパネルと固定枠部材の位置決め工程を示す正面図、図８は偏平型陰極線管の側面図である。
【０００７】
この実施形態の治具を構成する固定枠部材１は、偏平型陰極線管４０用のフロントパネル４３とスクリーンパネル４４とを、両者間に粘性のあるガラスフリットを介在させ、一体に固定するためのものである。以下、フロントパネル４３を前方に配置し、スクリーンパネル４４を後方に配置するものとして説明する。固定枠部材１は、主要な構成部分として、フロントパネル４３とスクリーンパネル４４とを挿入可能に開口した枠体２と、この枠体２の前後の側板に取り付けられた一対のパネル押えばね３，４とを備えている。
【０００８】
まず、枠体２は、平面視ほぼ矩形（図４）で、前後右左４つの側板を備える。前後側板は、フロントパネル４３とスクリーンパネル４４の表面形状に対応して、それぞれ所定の角度だけ傾斜している（図６）。特に、スクリーンパネル４４側に配置される後部側板２ｂの方が、フロントパネル４３側に配置される前部側板２ａよりも大きく傾斜している。右左の側板２ｃ、２ｄは平行である。
【０００９】
一方、一対のパネル押えばね３，４は、枠体２の前後側板２ａ，２ｂに、例えば取付ネジによって固定された固定部３ａ，４ａと、各々の固定部３ａ，４ａの両端からそれぞれ枠体２の内方に折曲した折曲片３ｂ，４ｂから成るパネル押え部を有する。この実施形態では、パネル押えばね３の幅を枠体２の幅よりも大きく設定することで、パネル押え部３ｂを、固定部３ａの両端から二股状に延出させて、枠体２の上下端よりも外側に配置した。
【００１０】
加えて、上記一対のパネル押えばね３，４のうち、フロントパネル４３側に配置されるパネル押えばね３には、そのパネル押え部３ｂｄの先端に、熱膨張係数が小さく且つ表面が平滑なパネル押えパッド５を固着してある。このパネル押えパッド５は、例えばカーボングラファイトやセラミックス等を素材に成形されたものである。
【００１１】
枠体２の左右の側板２ｃ、２ｄには、一対の重り結合部材６が、その上端部において固定されている。一対の重り結合部材６は、枠体の左右の側板から相互に対称に下方へ延出しており、下端部付近には、外側面から左右へ水平に突出する係合軸６ａが設けられている。また、枠体２の左右の側板２ｃ、２ｄには、重量の均等な一対のウエイト７が固着されている。
【００１２】
扁平型陰極線管の製作に当たっては、図４乃至図６に示すように、フロントパネル４３とスクリーンパネル４４とをフリットを介して突き合わせた後、上方からフロントパネル４３とスクリーンパネル４４とに枠体２を嵌合させる。これにより、パネル押えばね３，４のパネル押え部３ｂ、４ｂが、それぞれフロントパネル４３側のコーナ部とスクリーンパネル４４側のコーナ部とを押圧する状態となる。嵌合時には、図７に示すように、位置決め治具４５を用いて、フロントパネル４３、スクリーンパネル４４と枠体２との相対上下位置を定める。即ち、位置決め治具４５の第１当接面４５ａに重り結合部材６の下端を当接させると共に、第２当接面４５ｂにフロントパネル４３、スクリーンパネル４４の下端を当接させることによって、フロントパネル４３、スクリーンパネル４４と固定枠部材１との相対位置が定まる。
【００１３】
一方、この実施形態の治具を構成する架台８は、支持フレーム９、支持板１０、支持棒１１、固定部材１２、第１の前後位置決め部材１３、第２の前後位置決め部材１４、左右位置決め部材１５とを具備する。
【００１４】
支持板１０は、支持フレーム９に垂直に固定される。一対の支持棒１１は円筒状で、ファンネル４２の首部４２ａを左右から挟んで支持するために、支持板１０上に前方へ突出するように左右対称に固定される。固定部材１２は、ファンネル４２の管部４２ｂを解放可能に固定するもので、一対の支持棒１１の中間の下方に位置して支持板１０上に設けられる。第１の前後位置決め部材１３は、スクリーンパネル４４の背面に当接してスクリーンパネル４４の前後方向の位置を定めるもので、支持板１０上の左右両側に前方に突出して設けられる。第２の前後位置決め部材１４は、ファンネル４２の矩形部４２ｃの背面に当接してファンネル４２の前後方向の位置を定めるもので、支持板１０上の左右両側に前方に突出して設けられる。左右位置決め部材１５は、スクリーンパネル４４の側面に当接してスクリーンパネル４４の左右方向の位置を定めるもので、支持板１０の片側から延出している。
【００１５】
重り部材１６は、棒状重り１７と、左右一対のアーム１８とを具備する。棒状重り１７は、装着時に支持板１０の下部背面を横断してこれに当接するように配置される。アーム１８は、棒状重り１７の両端から斜めに上方へ延出しており、上端部が重り結合部材６に離脱可能に結合される。一対のアーム１８の先端部には、係合軸６ａに回転自在に係合するフック部１８ａが形成される。１９は一対のアーム１８を基端側で連結するバーである。
【００１６】
しかして、架台８の一対の支持棒１１間にファンネル４２の管部４２ｂを挿入し、背面を位置決め部材１４に当接させた状態で、固定部材１２で固定する。固定したファンネル４２の上縁に、ガラスフリットを介在させて、別途固定枠部材１で固定したフロントパネル４３とスクリーンパネル４４を接合する。このとき、スクリーンパネル４４の背面を位置決め部材１３に当接させると共に、側面を位置決め部材１５に当接させる。そして、棒状重り１７を支持板１０の裏側に配置してアーム１８を固定枠部材１の重り結合部材６に掛ける。重り部材１６によって、フロントパネル４３とスクリーンパネル４４が、ファンネル４２上に圧接され、また三者の上部を支持板１０へ押し付ける回転モーメントが生じ、三者が安定して架台８上に支持される。
【００１７】
【発明の効果】
以上、説明したように本発明によれば、フロントパネル４３とスクリーンパネル４４とを前後方向に固定するための固定枠部材１と、この固定枠部材１によって一体化されたフロントパネル４３とスクリーンパネル４４とを、下方に位置するファンネル４２上へ押し付けるために、固定枠体１に結合される重り部材１６と、固定枠部材１と重り部材１６とにより一体化されたフロントパネル４３、スクリーンパネル４４、ファンネル４２の三者を前後、左右位置決めして垂直に保持する架台８とを具備させ偏平型陰極線管製作用の治具を構成したため、フロントパネル４３とスクリーンパネル４４とを前後方向に固定するのみでなく、これらとファンネル４２とを上下に固定し、かつ相対位置を定めてバランスよく支持し、これによって、効率よく、高精度で偏平型陰極線管の溶着工程を実行することができるという効果を有する。
【図面の簡単な説明】
【図１】偏平型陰極線管と製作用治具の正面図である。
【図２】偏平型陰極線管と製作用治具の側面図である。
【図３】偏平型陰極線管の製作用治具の平面図である。
【図４】フロントパネルとスクリーンパネルとを固定する固定枠部材の平面図である。
【図５】フロントパネルとスクリーンパネルとを固定する固定枠部材の正面図である。
【図６】フロントパネルとスクリーンパネルとを固定する固定枠部材の側面図である。
【図７】フロントパネルとスクリーンパネルとを固定する固定枠部材の位置決め工程を示す正面図である。
【図８】偏平型陰極線管の側面図である。
【符号の説明】
１　　固定枠部材
２　　枠体
２ａ　前側壁
２ｂ　後側壁
２ｃ　左側壁
２ｄ　右側壁
３　　ばね
３ａ　固定部
３ｂ　パネル押え部（折曲片）
４ａ　固定部
４ｂ　パネル押え部（折曲片）
５　　パッド
６　　重り結合部材
７　　ウエイト
８　　架台
９　　支持フレーム
１０　　支持板
１１　　支持棒
１２　　固定部材
１３　　第１前後位置決め部材
１４　　第２前後位置決め部材
１５　　左右位置決め部材
１６　　重り部材
１７　　棒状重り
１８　　アーム
１８ａ　フック部
４０　　扁平型陰極線管
４１　　電子銃
４２　　ファンネル
４３　　フロントパネル
４４　　スクリーンパネル
４５　　位置決め治具
４５ａ　第１の面
４５ｂ　第２の面
【図１】
2004047291.tif 000003
【図２】
2004047291.tif 000004
【図３】
2004047291.tif 000005
【図４】
2004047291.tif 000006
【図５】
2004047291.tif 000007
【図６】
2004047291.tif 000008
【図７】
2004047291.tif 000009
【図８】
2004047291.tif 000010